(57)【要約】【課題】音響再生装置に再生させる音響コンテンツ間の流れが聴取者に違和感を与えないよう音響コンテンツを選択することができるコンテンツ選択装置を提供する。【解決手段】ＣＰＵは、音響コンテンツ格納部に格納された音響コンテンツから１つの音響コンテンツを無作為に選択し（Ｓ２１）、選択した音楽コンテンツの属性情報と関連する属性情報を有する音楽関連コンテンツを音響コンテンツ格納部に格納された音響コンテンツから検索し（Ｓ２２）、音楽関連コンテンツが検出されなかった場合には（Ｓ２３）、音楽コンテンツを選択しなおす一方（Ｓ２１）、音楽関連コンテンツが検出された場合には（Ｓ２３）、ステップＳ２１で選択した音楽コンテンツとステップＳ２２で検出された音楽関連コンテンツとを再生リストに登録する（Ｓ２４）。【選択図】図５
2007257712.tif 000002
【特許請求の範囲】
【請求項１】
属性情報を有する音響コンテンツが格納された記憶媒体から音響再生装置に再生させる音響コンテンツを選択するコンテンツ選択手段を備えたコンテンツ選択装置において、
前記コンテンツ選択手段は、選択した音響コンテンツの属性情報と関連する属性情報を有する音響コンテンツを次に選択することを特徴とするコンテンツ選択装置。
【請求項２】
前記音響再生装置の操作履歴を表す操作履歴情報を格納する操作履歴格納手段を備え、
前記コンテンツ選択手段は、前記操作履歴情報に基づいて利用者が音楽を好むか否かを判断し、前記利用者が音楽を好むと判断した場合には、属性情報に基づいて音楽を表すものであると判断される音響コンテンツを選択し、前記利用者が音楽を好まないと判断した場合には、属性情報に基づいて音楽以外の音声を表すものであると判断される音響コンテンツを選択することを特徴とする請求項１に記載のコンテンツ選択装置。
【請求項３】
前記コンテンツ選択手段は、選択した音響コンテンツの属性情報に基づいて該音響コンテンツが音楽を表すものであると判断される場合には、選択した音響コンテンツと関連する音声を表すものであると属性情報に基づいて判断される音響コンテンツを次に選択することを特徴とする請求項１または請求項２に記載のコンテンツ選択装置。
【請求項４】
前記コンテンツ選択手段は、属性情報に基づいてニュース、気象情報および道路交通情報の少なくとも１つを表すものであると判断される音響コンテンツを前記音響再生装置に一定時間毎に再生させるよう前記音響コンテンツを選択することを特徴とする請求項１乃至請求項３の何れかに記載のコンテンツ選択装置。
【発明の詳細な説明】
【技術分野】
【０００１】
本発明は、音響コンテンツが格納された記憶媒体から音響再生装置に再生させる音響コンテンツを選択するコンテンツ選択装置に関する。
【背景技術】
【０００２】
従来のコンテンツ選択装置としては、属性情報を有する音楽情報および言葉情報の音響コンテンツを記憶媒体に記憶しておき、自車両の属性情報に対応する音楽情報と、自車両の属性情報に対応する言葉情報とを交互に組み合わせて番組情報を構成することによって、自車両の状態に応じた快適な番組情報を音響再生装置に再生させるものがある（例えば、特許文献１参照）。
【特許文献１】特開２００１−６７８５０号公報
【発明の開示】
【発明が解決しようとする課題】
【０００３】
しかしながら、従来のコンテンツ選択装置においては、番組情報を構成する音響コンテンツが自車両の状態に応じて適宜選択されるため、音響再生装置に再生させる音響コンテンツ間の流れが聴取者に違和感を与えてしまうといった問題があった。
【０００４】
本発明は、従来の問題を解決するためになされたもので、音響再生装置に再生させる音響コンテンツ間の流れが聴取者に違和感を与えないよう音響コンテンツを選択することができるコンテンツ選択装置を提供することを目的とする。
【課題を解決するための手段】
【０００５】
本発明のコンテンツ選択装置は、属性情報を有する音響コンテンツが格納された記憶媒体から音響再生装置に再生させる音響コンテンツを選択するコンテンツ選択手段を備えたコンテンツ選択装置において、前記コンテンツ選択手段は、選択した音響コンテンツの属性情報と関連する属性情報を有する音響コンテンツを次に選択するように構成されている。
【０００６】
この構成により、本発明のコンテンツ選択装置は、属性情報が関連する音響コンテンツを順次選択するため、音響再生装置に再生させる音響コンテンツ間の流れが聴取者に違和感を与えないよう音響コンテンツを選択することができる。
【０００７】
なお、本発明のコンテンツ選択装置は、前記音響再生装置の操作履歴を表す操作履歴情報を格納する操作履歴格納手段を備え、前記コンテンツ選択手段は、前記操作履歴情報に基づいて利用者が音楽を好むか否かを判断し、前記利用者が音楽を好むと判断した場合には、属性情報に基づいて音楽を表すものであると判断される音響コンテンツを選択し、前記利用者が音楽を好まないと判断した場合には、属性情報に基づいて音楽以外の音声を表すものであると判断される音響コンテンツを選択するようにしてもよい。
【０００８】
この構成により、本発明のコンテンツ選択装置は、聴取者の嗜好に合った音響コンテンツを順次選択することができる。
【０００９】
また、前記コンテンツ選択手段は、選択した音響コンテンツの属性情報に基づいて該音響コンテンツが音楽を表すものであると判断される場合には、選択した音響コンテンツと関連する音声を表すものであると属性情報に基づいて判断される音響コンテンツを次に選択するようにしてもよい。
【００１０】
この構成により、本発明のコンテンツ選択装置は、音楽を主体とした番組のように、音響コンテンツ間の流れが聴取者に違和感を与えないよう音響コンテンツを選択することができる。
【００１１】
前記コンテンツ選択手段は、属性情報に基づいてニュース、気象情報および道路交通情報の少なくとも１つを表すものであると判断される音響コンテンツを前記音響再生装置に一定時間毎に再生させるよう前記音響コンテンツを選択するようにしてもよい。
【００１２】
この構成により、本発明のコンテンツ選択装置は、ラジオ放送やテレビ放送の番組のように、音響コンテンツ間の流れが聴取者に違和感を与えないよう音響コンテンツを選択することができる。
【発明の効果】
【００１３】
本発明は、音響再生装置に再生させる音響コンテンツ間の流れが聴取者に違和感を与えないよう音響コンテンツを選択することができるという効果を有するコンテンツ選択装置を提供することができる。
【発明を実施するための最良の形態】
【００１４】
以下、本発明の実施の形態について、図面を参照して説明する。なお、本実施の形態においては、本発明のコンテンツ選択装置を車載用の音響再生装置に適用した例について説明する。
【００１５】
本発明の一実施の形態の音響再生装置を図１に示す。
【００１６】
図１に示すように、音響再生装置１は、データの入出力を行うＩ／Ｏポート１１と、各種データやプログラム等を記憶するハードディスクドライブ（以下、単に「ＨＤＤ」と記載する。）１２と、ＢＩＯＳ（Basic Input/Output System）等の基本プログラムを記憶するＲＯＭ（Read Only Memory）１３と、ＨＤＤ１２やＲＯＭ１３等に記憶されたプログラムを実行するＣＰＵ（Central Processing Unit）１４と、ＣＰＵ１４によって実行されるプログラムやデータを保持するＲＡＭ（Random Access Memory）１５と、音響コンテンツを処理する音声ＬＳＩ（Large Scale Integration）１６と、画像を表す画像データを処理する描画ＬＳＩ１７と、画像データを保持するＶＲＡＭ（Video RAM）１８とを備えている。
【００１７】
ＣＰＵ１４は、ＲＯＭ１３およびＨＤＤ１２に記憶されたプログラムをＲＡＭ１５に読み込んで、ＲＡＭ１５に読み込んだプログラムを実行することによって、後述する音響再生装置１の各動作を実行する等して各部を制御するようになっている。なお、以下の説明において、ＲＯＭ１３およびＨＤＤ１２に記憶されたプログラムを実行しているＣＰＵ１４を単に「ＣＰＵ１４」と記載する。また、本実施の形態において、ＣＰＵ１４は、本発明におけるコンテンツ選択手段を構成する。
【００１８】
Ｉ／Ｏポート１１には、ＧＰＳ（Global Positioning System）データを受信するＧＰＳ受信機２１と、ＶＩＣＳ（Vehicle Information and Communication System）データを受信するＶＩＣＳ受信機２２と、車両の速度を検知する速度センサ２３と、車両が向いている方向を検知するジャイロセンサ２４と、音響コンテンツを出力する少なくとも１つの音響出力機器２５と、音響コンテンツを受信する少なくとも１つの音響受信機器２６と、音響コンテンツが表す音を出力するスピーカ３１と、画像データが表す画像を表示するディスプレイ３２と、ディスプレイ３２に一体に設けられたタッチパネル等の入力装置３３とが接続されている。
【００１９】
音響出力機器２５は、ポータブルオーディオプレーヤ、ポータブルデジタルオーディオプレーヤ、ノートＰＣ（Personal Computer）、ならびに、ＤＶＤ（Digital Versatile Disc）、ＣＤ（Compact Disc）、ＭＤ（Mini Disc）、ＳＤ（Secure Digital）メモリカードおよびＵＳＢ（Universal Serial Bus）メモリといったメディアのドライバ等よりなる。音響受信機器２６は、ＦＭ（Frequency Modulation）チューナおよびＡＭ（Amplitude Modulation）チューナ等よりなる。
【００２０】
ＨＤＤ１２、音響出力機器２５および音響出力機器２５に保持されたメディア（以下、総称して「音響コンテンツ格納部」という。）には、複数の音響コンテンツが格納されている。音響コンテンツの形式としては、ＭＰ３（MPEG-1 Audio Layer 3）、ＷＡＶＥおよびＡＡＣ（Advanced Audio Coding）等がある。
【００２１】
各音響コンテンツは、属性情報を有している。属性情報は、ＭＰ３タグのように音響コンテンツ自体に含まれていてもよく、音響コンテンツとは別のファイルで当該音響コンテンツと共に音響コンテンツ格納部に格納されていてもよい。
【００２２】
音楽を表す音響コンテンツの属性情報は、アーティスト名、アルバム名、音楽のジャンル、曲名、作曲者名および再生時間等の各項目を表している。また、音楽を表すもの以外の音響コンテンツの属性情報は、番組のジャンル、番組名、出演者名、再生時間および番組内容の概要等の各項目を表している。
【００２３】
なお、本実施の形態は、音楽コンテンツ、音声コンテンツ、ニュースコンテンツ、音楽関連コンテンツおよび非音楽関連コンテンツの５つの種別に音響コンテンツを分類して説明する。また、これら音響コンテンツの種別は、属性情報に基づいてＣＰＵ１４によって判断されるものとする。
【００２４】
ここで、音楽コンテンツは、音楽を表すものであり、音声コンテンツは、オーディオブック、ラジオ放送およびテレビ放送等から得られる音声を表すコンテンツである。また、ニュースコンテンツは、ニュース、気象情報および道路交通情報等のようにラジオ放送やテレビ放送で番組間に放送されるような音声を表すものである。
【００２５】
また、音楽関連コンテンツは、音楽を紹介するディスクジョッキーによるトーク、アーティストによるトーク、および、音楽ランキングの紹介等のように音楽と関連する音声を表すものである。一方、非音楽関連コンテンツは、音楽とは関係のないディスクジョッキーによるトーク、広告、および、再生時間が数秒のフレーズ等のように音楽と関連しない音声を表すものである。
【００２６】
以上のように構成された音響再生装置１の音響コンテンツの再生動作について図２乃至図８を用いて説明する。
【００２７】
音響再生装置１による音響コンテンツの再生動作は、入力装置３３等を介した指定にしたがって音響コンテンツを再生する通常再生動作と、ＣＰＵ１４によって生成された再生リストにしたがって音響コンテンツを再生するリスト再生動作とがある。
【００２８】
図２は、音響再生装置１の通常再生動作を説明するためのフロー図である。
【００２９】
まず、音響コンテンツの格納先または音響コンテンツの受信チャンネルが入力装置３３を介して指定されると、ＣＰＵ１４は、音響コンテンツ格納部の指定された格納先にある音響コンテンツまたは音響受信機器２６の指定された受信チャンネルで受信された音響コンテンツを音声ＬＳＩ１６に処理させてスピーカ３１を介して音として出力させる（Ｓ１）。
【００３０】
ここで、ＣＰＵ１４は、入力装置３３を介した指定操作の履歴を表す操作履歴情報をＨＤＤ１２に格納する（Ｓ２）。操作履歴情報は、図３に示すように、指定操作の対象機器と、当該機器を指定操作した指定操作回数と、当該機器から音響コンテンツを再生した再生時間とをそれぞれ表す情報からなる。
【００３１】
なお、入力装置３３の操作過程において、利用者の意図によらずに各機器が起動されてしまうことがあるため、ＣＰＵ１４は、操作対象の機器が指定されてから例えば５分以上経過した場合に、当該機器の指定操作回数と再生時間とを更新することが好ましい。
【００３２】
図４は、音響再生装置１のリスト再生動作を説明するためのフロー図である。
【００３３】
入力装置３３を介してリスト再生が指示されると、ＣＰＵ１４は、ＨＤＤ１２に格納された操作履歴情報を参照して、音響コンテンツ格納部の指定操作回数の累計が音響受信機器２６の指定操作回数の累計以上であるか否かを判断することにより、利用者が音楽を好むか否かを判断する（Ｓ１１）。
【００３４】
すなわち、ＣＰＵ１４は、音響コンテンツ格納部の指定操作回数の累計が音響受信機器２６の指定操作回数の累計以上である場合には、利用者が音楽を好むと判断し、音響コンテンツ格納部の指定操作回数の累計が音響受信機器２６の指定操作回数の累計以上でない場合には、利用者が音楽以外の音声を好むと判断する。
【００３５】
なお、ＣＰＵ１４は、音響コンテンツ格納部の指定操作回数の累計が音響受信機器２６の指定操作回数の累計に等しかった場合には、音響コンテンツ格納部の再生時間が音響受信機器２６の再生時間以上であるか否かを判断することにより、利用者が音楽を好むか否かを判断するようにしてもよい。
【００３６】
利用者が音楽を好むと判断した場合には、ＣＰＵ１４は、音楽コンテンツを主体とした再生リストを生成する音楽用再生リスト生成処理を実行する（Ｓ１２、図５）。一方、利用者が音楽を好まないと判断した場合には、ＣＰＵ１４は、音声コンテンツを主体とした再生リストを生成する音声用再生リスト生成処理を実行する（Ｓ１３、図６）。
【００３７】
再生リストの生成が完了すると、ＣＰＵ１４は、再生リストにしたがって、音響コンテンツ格納部に格納された音響コンテンツを音声ＬＳＩ１６に処理させてスピーカ３１を介して音として出力させる（Ｓ１４）。
【００３８】
図５は、ＣＰＵ１４によって実行される音楽用再生リスト生成処理を詳細に説明するためのフロー図である。
【００３９】
まず、ＣＰＵ１４は、音楽コンテンツのジャンルを選択する（Ｓ２０）。ここで、ＣＰＵ１４は、入力装置３３を介して指定されたジャンルを選択してもよいし、無作為にジャンルを選択してもよいし、ＨＤＤ１２に予め登録されたジャンルを選択してもよい。
【００４０】
次に、ＣＰＵ１４は、選択したジャンルを表す属性情報を有する音楽コンテンツを音響コンテンツ格納部に格納された音響コンテンツから無作為に選択する（Ｓ２１）。
【００４１】
次に、ＣＰＵ１４は、選択した音楽コンテンツの属性情報と関連する属性情報を有する音楽関連コンテンツを音響コンテンツ格納部に格納された音響コンテンツから検索する（Ｓ２２）。ここで、ＣＰＵ１４は、選択した音楽コンテンツの属性情報が表す少なくとも１つの項目（例えば、アーティスト名）をキーワードとして、音響コンテンツ格納部に格納された音楽関連コンテンツが有する属性情報が表す少なくとも１つの項目（例えば、出演者名）から当該キーワードを検索する。
【００４２】
音楽関連コンテンツが検出されなかった場合には（Ｓ２３）、ＣＰＵ１４は、音楽コンテンツを選択しなおす（Ｓ２１）。一方、音楽関連コンテンツが検出された場合には（Ｓ２３）、ＣＰＵ１４は、ステップＳ２１で選択した音楽コンテンツとステップＳ２２で検出された音楽関連コンテンツとを再生リストに登録する（Ｓ２４）。
【００４３】
次に、ＣＰＵ１４は、再生リストにニュースコンテンツを適宜登録するためのニュースコンテンツ登録処置を実行する（Ｓ２５、図７）。
【００４４】
次に、ＣＰＵ１４は、ステップＳ２４およびＳ２５で登録された各コンテンツの再生時間を再生リストの再生時間に加算することによって、再生リストの再生時間を算出する（Ｓ２６）。
【００４５】
ここで、ＣＰＵ１４は、再生リストの再生時間が予め設定された規定時間以上であるか否かを判断し（Ｓ２７）、再生リストの再生時間が規定時間以上であると判断した場合には、音楽用再生リスト生成処理を終了する。
【００４６】
一方、再生リストの再生時間が規定時間以上でないと判断した場合には、ＣＰＵ１４は、次の音楽コンテンツを選択する（Ｓ２１）。
【００４７】
図６は、ＣＰＵ１４によって実行される音声用再生リスト生成処理を詳細に説明するためのフロー図である。
【００４８】
まず、ＣＰＵ１４は、音声コンテンツを音響コンテンツ格納部に格納された音響コンテンツから無作為に選択する（Ｓ３０）。
【００４９】
次に、ＣＰＵ１４は、選択した音声コンテンツの属性情報と関連する属性情報を有する非音楽関連コンテンツを音響コンテンツ格納部に格納された音響コンテンツから検索する（Ｓ３１）。ここで、ＣＰＵ１４は、選択した音声コンテンツの属性情報が表す少なくとも１つの項目（例えば、出演者名）をキーワードとして、音響コンテンツ格納部に格納された非音楽関連コンテンツが有する属性情報が表す少なくとも１つの項目（例えば、出演者名）から当該キーワードを検索する。
【００５０】
非音楽関連コンテンツが検出されなかった場合には（Ｓ３２）、ＣＰＵ１４は、音声コンテンツを選択しなおす（Ｓ３０）。一方、非音楽関連コンテンツが検出された場合には（Ｓ３２）、ＣＰＵ１４は、ステップＳ３０で選択した音声コンテンツとステップＳ３１で検出された非音楽関連コンテンツとを再生リストに登録し（Ｓ３３）、ニュースコンテンツ登録処置を実行する（Ｓ３４、図７）。
【００５１】
次に、ＣＰＵ１４は、ステップＳ３３およびＳ３４で登録された各コンテンツの再生時間を再生リストの再生時間に加算することによって、再生リストの再生時間を算出する（Ｓ３５）。
【００５２】
ここで、ＣＰＵ１４は、再生リストの再生時間が規定時間以上であるか否かを判断し（Ｓ３６）、再生リストの再生時間が規定時間以上であると判断した場合には、音声用再生リスト生成処理を終了する。
【００５３】
一方、再生リストの再生時間が規定時間以上でないと判断した場合には、ＣＰＵ１４は、次の音声コンテンツを選択する（Ｓ３０）。
【００５４】
図７は、ＣＰＵ１４によって実行されるニュースコンテンツ登録処理を詳細に説明するためのフロー図である。
【００５５】
まず、ＣＰＵ１４は、前回に再生リストに登録したニュースコンテンツ、および、このニュースコンテンツを登録したときから再生リストに登録した音響コンテンツの再生時間の総和を算出する（Ｓ４０）。
【００５６】
次に、ＣＰＵ１４は、算出した再生時間の総和が一定時間以上であるか否かを判断する（Ｓ４１）。なお、本実施の形態においては、一定時間を１時間とする。
【００５７】
再生時間の総和が予め定められた時間以上でないと判断した場合には、ＣＰＵ１４は、ニュースコンテンツ登録処理を終了する。一方、再生時間の総和が予め定められた時間以上であると判断した場合には、ＣＰＵ１４は、音響コンテンツ格納部に格納された音響コンテンツからニュースコンテンツを無作為に選択し（Ｓ４２）、選択したニュースコンテンツを再生リストに登録する（Ｓ４３）。
【００５８】
なお、ＣＰＵ１４は、ニュースコンテンツを選択する際に、情報が古いニュースコンテンツを除外して選択するようにしてもよい。例えば、ＣＰＵ１４は、ニュースコンテンツの更新日時からＧＰＳ受信機２１から取得できる現在日時までの経過時間が３時間を超えている場合には、このニュースコンテンツを除外する。
【００５９】
以上に説明した、音楽用再生リスト生成処理、音声用再生リスト生成処理およびニュースコンテンツ登録処理において、ＣＰＵ１４は、再生リストに同一の音響コンテンツが登録されないよう、音響コンテンツを選択および検索するときに既に再生リストに登録されている音響コンテンツを除外して行うことが望ましい。
【００６０】
また、音楽用再生リスト生成処理、音声用再生リスト生成処理およびニュースコンテンツ登録処理において、最近に再生した再生リストに登録された音響コンテンツと同一の音響コンテンツが登録されないよう、再生リストにしたがって再生した音響コンテンツを登録するための図８に示すような再生済みリストをＨＤＤ１２に格納しておき、ＣＰＵ１４は、音響コンテンツを選択および検索するときに再生済みリストに登録された音響コンテンツを除外して行うようにしてもよい。
【００６１】
この場合には、リスト再生動作に先立って、ＣＰＵ１４は、再生済みリストの更新処理を実行する。再生済みリストの更新処理において、ＣＰＵ１４は、再生済みリストに登録された各音響コンテンツの再生日時から現在日時までの経過時間が例えば１週間を超えている場合には、当該音響コンテンツの登録を抹消する。
【００６２】
このような本発明の一実施の形態の音響再生装置１は、属性情報が関連する音響コンテンツを順次選択するため、再生する音響コンテンツ間の流れが聴取者に違和感を与えないよう音響コンテンツを選択することができる。
【００６３】
なお、本実施の形態においては、ＣＰＵ１４が再生リストを生成し、生成した再生リストにしたがって音響コンテンツを再生する例について説明したが、ＣＰＵ１４が、再生リストを生成せずに、音響コンテンツを選択しながら順次再生するようにしてもよい。
【産業上の利用可能性】
【００６４】
以上のように、本発明にかかるコンテンツ選択装置は、音響再生装置に再生させる音響コンテンツ間の流れが聴取者に違和感を与えないよう音響コンテンツを選択することができるという効果を有し、例えば、音響コンテンツが格納された記憶媒体から音響再生装置に再生させる音響コンテンツを選択するコンテンツ選択装置等として有用である。
【図面の簡単な説明】
【００６５】
【図１】本発明の一実施の形態における音響再生装置のブロック図
【図２】本発明の一実施の形態における音響再生装置の通常再生動作を説明するためのフロー図
【図３】本発明の一実施の形態における音響再生装置を構成するＨＤＤに格納される操作履歴情報を説明するための表
【図４】本発明の一実施の形態における音響再生装置のリスト再生動作を説明するためのフロー図
【図５】本発明の一実施の形態における音響再生装置を構成するＣＰＵによって実行される音楽用再生リスト生成処理を説明するためのフロー図
【図６】本発明の一実施の形態における音響再生装置を構成するＣＰＵによって実行される音声用再生リスト生成処理を説明するためのフロー図
【図７】本発明の一実施の形態における音響再生装置を構成するＣＰＵによって実行されるニュースコンテンツ登録処理を説明するためのフロー図
【図８】本発明の一実施の形態における音響再生装置を構成するＨＤＤに格納される再生済みリストを説明するための表
【符号の説明】
【００６６】
１  音響再生装置
１１  Ｉ／Ｏポート
１２  ＨＤＤ
１３  ＲＯＭ
１４  ＣＰＵ
１５  ＲＡＭ
１６  音声ＬＳＩ
１７  描画ＬＳＩ
１８  ＶＲＡＭ
２１  ＧＰＳ受信機
２２  ＶＩＣＳ受信機
２３  速度センサ
２４  ジャイロセンサ
２５  音響出力機器
２６  音響受信機器
３１  スピーカ
３２  ディスプレイ
３３  入力装置
【図１】
2007257712.tif 000003
【図２】
2007257712.tif 000004
【図３】
2007257712.tif 000005
【図４】
2007257712.tif 000006
【図５】
2007257712.tif 000007
【図６】
2007257712.tif 000008
【図７】
2007257712.tif 000009
【図８】
2007257712.tif 000010